(57)【特許請求の範囲】
【請求項１】
容器開口部に装着される内部にポンプ室を備えたポンプ本体と、該ポンプ本体の上端に設けられた開口部からポンプ室内に往復動自在に挿入され内部に流路が形成された中空のステムと、該ステムの下端部に設けられポンプ室内を往復移動するピストンと、前記ステムの上端部に装着され前記ステム内の流路と接続されるノズル部を備えたイジェクタヘッドと、前記ステム内の流路に設けられた吐出弁と、前記ポンプ室の下端部に設けられた吸入弁と、前記ステムを弾発力によって上方に付勢するばね部材と、を備え前記ピストンは、通常使用時には、上限の吸入完了位置と、下限の吐出完了位置間を移動し、ロック時には吐出完了位置よりもさらに下方のロック位置まで移動するポンプディスペンサにおいて、
前記ポンプ室内に上下方向に延びる一本の弁軸を設け、該弁軸の上端を前記ステムの内部に挿入すると共に、前記弁軸の下端には前記吸入弁用の弁体を設け、前記吐出完了位置において、前記弁軸下端の吸入弁用弁体が吸入弁の弁座に当接した状態で、前記弁軸上端が前記吐出弁の弁口を突き抜けて弁座よりも所定寸法だけ高い位置となるように設定し、吐出弁の弁体を吐出完了状態から吸入行程に移行する一定時間強制的に弁座から離間させて開弁状態に維持し、前記ステムには、ロック時の内容液の液漏れを防止するための第１シール座と、吸入完了位置における内容液の液漏れを防止するための第２シール座とを設けると共に、前記弁軸の中途部には、ロック位置において第１シール座に密接してステム内の流路を閉塞し、吸入完了位置において前記第２シール座に密接してステム内の流路を閉塞するシール用弁体を設けたことを特徴とするポンプディスペンサ。
【請求項２】
ノズルはイジェクタヘッドの付け根位置から先端に向かって上向きの傾斜がつけられている請求項１に記載のポンプディスペンサ。
【発明の詳細な説明】
【０００１】
【発明が属する技術分野】
本発明は、たとえばシャンプー，リンス等の据置タイプの容器に用いられるポンプディスペンサに関し、特に使用後の液だれやノズル部への液の付着・固化を防止する技術に関する。
【０００２】
また、このようなポンプディスペンサに用いられるノズル部を備えたイジェクタヘッドに関する。
【０００３】
【従来の技術】
従来のこの種のポンプディスペンサとしては、たとえば図８に示すようなものが知られている。
【０００４】
すなわち、内部に液体を貯溜するポンプ室１００を備えたポンプ本体１０１と、ポンプ本体１０１内に往復移動自在に挿入されポンプ室１００の容積を拡張，収縮させるピストン１０２と、ピストン１０２に中空のステム１０３を介して連接されるノズル部１０４を備えたイジェクタヘッド１０５と、ポンプ室１００下端に設けられる吸入弁１０６と、ポンプ室１００とノズル部１０４とを連通するステム１０３内の流路１０７途中に設けられる吐出弁１０８と、前記ピストン１０２をポンプ室１００の容積を拡張させる方向に常時付勢するばね部材１０９と、を備えている。
【０００５】
吸入弁１０６はポンプ室１００内が負圧の時に開いて正圧の時に閉じ、吐出弁１０８はポンプ室１００内が負圧の時は閉じて正圧の時は開く構成となっている。
【０００６】
このポンプの作動は、ばね部材１０９のばね力に抗して、手でイジェクタヘッド１０５を下方に押してステム１０３をポンプ本体１０１内に押し込み、ステム１０３に設けられたピストン１０２によってポンプ室１００を収縮させた状態で手を離す。すると、ばね部材１０８の付勢力によってピストン１０２が移動してポンプ室１００内の容積が拡張し、ポンプ室１００内が負圧になる。この負圧によって吸入弁１０６が開いて一定量の内容液が自動的にポンプ室１００内に吸入される。
【０００７】
そして、ばね部材１０８のばね力に抗して再びイジェクタヘッド１０５を押し込むと、ピストン１０２によってポンプ室１００が圧縮されて吐出弁１０８が開き、ポンプ室１００内に吸入された内容液がノズル部１０４を通じて吐出されることになる。
【０００８】
また、通常状態（吸入完了状態）及びロック時での転倒時の液漏れを防止するために、ポンプ室１００内にポペット１１０が内装されている。ポペット１１０は、その下端がポンプ室１００下端内周に嵌合固定され、上端がステム１０３の下端開口部からその内部に挿入されている。
【０００９】
ポペット１１０の上下端には第１，第２弁部１１１，１１２が設けられ、通常状態では上端の第１弁部１１１にステム１０３内周に設けた第１弁座１１３が下方から当接してステム１０３内の流路を閉塞し、ロック状態では下端の第２弁部１１２にステム１０３下端の第２弁座１１４が上方から当接してステム１０３内の流路１０７を閉塞していた。
【００１０】
さらに、ノズル部１０４からの液だれや、ノズル部１０４内の残留液体の固化を防止するために、吐出完了後、一定時間吐出弁を強制的に開いておいてノズル部１０４内の残留液をポンプ室１００内に戻すバックサクション機構１１５が設けられていた。
【００１１】
このバックサクション機構１１５は、ポペット１１０上端に吐出弁１０８の下方から弁体を持ち上げる操作部材１１６と、この操作部材１１６を支持するスプリング１１７とから構成されていた。
【００１２】
【発明が解決しようとする課題】
しかし、上記従来技術では、通常状態及びロック時のシール用としてポペット１１０が必要となる。
【００１３】
また、ノズル部１０４内の残液を戻すために、上記ポペット１１０の他に、さらにスプリング１１７及び操作部材１１６を必要とする。
【００１４】
このように、転倒時の液漏れ防止及びノズル部１０４内の残液戻しのために、それぞれ専用の部品を必要とし、構造が複雑になって部品点数が増大すると共に、組立工数も増大し、コスト高になるという問題があった。
【００１５】
本発明は上記した従来技術の問題点を解決するためになされたもので、その目的とするところは、簡単な構成でロック時及び吸入完了時における内溶液の液漏れを防止し、かつ吐出完了時のノズル部からの液だれを防止し得るポンプディスペンサを提供することにある。
【００１６】
また、ポンプディスペンサのノズル部に用いられる新規な形状のイジェクタヘッドを提供することにある。
【００１７】
【課題を解決するための手段】
上記目的を達成するために、本発明にあっては、容器開口部に装着される内部にポンプ室を備えたポンプ本体と、該ポンプ本体の上端に設けられた開口部からポンプ室内に往復動自在に挿入され内部に流路が形成された中空のステムと、該ステムの下端部に設けられポンプ室内を往復移動するピストンと、前記ステムの上端部に装着され前記ステム内の流路と接続されるノズル部を備えたイジェクタヘッドと、前記ステム内の流路に設けられた吐出弁と、前記ポンプ室の下端部に設けられた吸入弁と、前記ステムを弾発力によって上方に付勢するばね部材と、を備え、前記ピストンは、通常使用時には、上限の吸入完了位置と、下限の吐出完了位置間を移動し、ロック時には吐出完了位置よりもさらに下方のロック位置まで移動するポンプディスペンサにおいて、前記ポンプ室内に上下方向に延びる一本の弁軸を設け、該弁軸の上端を前記ステムの内部に挿入すると共に、前記弁軸の下端には前記吸入弁用の弁体を設け、前記吐出完了位置において、前記弁軸下端の吸入弁用弁体が吸入弁の弁座に当接した状態で、前記弁軸上端が前記吐出弁の弁口を突き抜けて弁座よりも所定寸法だけ高い位置となるように設定し、吐出弁の弁体を吐出完了状態から吸入行程に移行する一定時間強制的に弁座から離間させて開弁状態に維持し、前記ステムには、ロック時の内容液の液漏れを防止するための第１シール座と、吸入完了位置における内容液の液漏れを防止するための第２シール座とを設けると共に、前記弁軸の中途部には、ロック位置において第１シール座に密接してステム内の流路を閉塞し、吸入完了位置において前記第２シール座に密接してステム内の流路を閉塞するシール用弁体を設けたことを特徴とする。
【００１８】
本発明にあっては、ばね部材のばね力に抗して、手でイジェクタヘッドを下方に押してステムをポンプ本体内に押し込み、ステムに設けられたピストンによってポンプ室を収縮させた状態で手を離す。すると、ばね部材の付勢力によってピストンが移動してポンプ室内の容積が拡張し、ポンプ室内が負圧になる。この負圧によって吸入弁が開いて一定量の内容液が自動的にポンプ室内に吸入される。
【００１９】
そして、ばね部材のばね力に抗して再びイジェクタヘッドを押し込むと、ピストンによってポンプ室が圧縮されて吐出弁が開き、ポンプ室内に吸入された内容液がノズル部を通じて吐出されることになる。
【００２０】
吐出完了時点では、弁軸上端が吐出弁の弁口に入り込んで弁座上方まで突出し、弁体を弁座から強制的に持ち上げている。
【００２１】
イジェクタヘッドから手を離すと、ばね部材の付勢力によってステムが上方に押し戻され、ポンプ室の容積が拡張して負圧となる。ステムが吐出完了位置から所定距離だけ上方に移動する間はまだ弁軸上端は吐出弁の弁座から上方に突出しており、この弁軸上端によって弁体が強制的に弁座から離され、ノズル部内の残液が吐出弁の弁口を通じてポンプ室内に戻される。
【００２２】
そして、ステムが所定距離上動して弁軸上端が吐出弁の弁座位置よりも下になると、吐出弁の弁体が弁座に着座して弁口を閉塞する。一方、弁軸下端の弁体が吸入弁の弁座から浮き上がり、ポンプ室内に内容液が吸入される。
【００２３】
ステムが最上端である吸入完了位置に達すると、ステム内の第２シール座が弁軸のシール用弁体が当接し、ステム内の流路が閉塞される。
【００２４】
一方、ロック時には、ステムは吐出完了位置よりもさらに下方のロック位置に達し、その分弁軸上端の吐出弁の弁座からの突出量は大きくなる。一方、弁軸の中途部に設けられたシール用弁体がロック用の第１シール部に当接してステム内の流路が閉塞される。
【００２５】
ノズルはイジェクタヘッドの付け根位置から先端に向かって上向きの傾斜がつけられていることを特徴とする。
【００２６】
また、ノズル部を上向きにしておけば、重力によって吐出完了後のノズル部内の残液が戻りやすい。
【００３３】
【発明の実施の形態】
以下に本発明を図示の実施の形態に基づいて説明する。
【００３４】
図１乃至図３は本発明の一実施の形態に係るポンプディスペンサを示している。
【００３５】
図１は自由状態（吸入完了位置）を示し、図２（ａ），（ｂ）はそれぞれ吐出完了位置とロック位置を示している。図３はノズル部内の残液をポンプ室内に戻すバックサクション行程を示している。
【００３６】
図１を中心にポンプディスペンサの構成を説明すると、このポンプディスペンサ１は、据置型のシャンプー容器等に用いられるもので、容器開口部に装着される内部にポンプ室２を備えたポンプ本体としてのアキュムレータ３と、このアキュムレータ３内に往復移動自在に挿入されポンプ室２の容積を拡張，収縮させるピストン４と、ピストン４にステム５を介して連接されるノズル部を備えたイジェクタヘッド６と、ポンプ室２下端に設けられる吸入弁７と、ポンプ室２内部とイジェクタヘッド６とを連通する流路８の上端部に設けられる吐出弁９と、ピストン４をポンプ室２の容積を拡張させる方向に常時付勢するばね部材１０と、から構成されている。
【００３７】
アキュムーレタ３はシリンダ形状で、容器の開口部から容器内部に挿入され、その上端に容器の口縁部１１上端に係合するフランジ部１２が設けられている。このフランジ部１２は容器口頚部１１外周に螺着されるコンテナキャップ１３によって固定されている。また、このアキュムレータ３の上端には、ステム５を案内するガイドリング１４が装着されている。このガイドリング１４内周には、ロック時にイジェクタヘッド６に設けられた雄ねじ１５と螺合される雌ねじ１６が設けられている。
【００３８】
一方、容器内部に挿入されるアキュムレータ３の下端には、吸入弁７が設けられると共に、容器底部に向かって延びるディップチューブ１７が接続されている。
【００３９】
ステム５は中空の円筒状部材で、その下端付近にはピストン４が一体成形されており、上端には別体のイジェクタヘッド６が装着されている。
【００４０】
ピストン４は、図１，図２に示すように、通常使用時には、上限の吸入完了位置Ａと、下限の吐出完了位置Ｂ間を移動し、ロック時には吐出完了位置Ｂよりもさらに下方のロック位置Ｃまで移動する。吸入完了位置Ａはステム５の中途部外周に設けられたストッパ段部１８がガイドリング１４下端に突き当たることによって位置決めされる。吐出完了位置Ｂは、図２（ａ）に示すように、イジェクタヘッド６の雄ねじ１５がガイドリング１４の雌ねじ１６と当接した位置で位置決めされる。ロック位置は雄ねじ１５と雌ねじ１６のねじ込み完了によって位置決めされる。
【００４１】
一方、ポンプ室２内には上下方向に延びる１本の弁軸２０が上下方向に移動可能に装着されている。この弁軸２０は、上下方向に直線的に延びる弁軸本体２１と、弁軸本体２１の中途部に一体的に設けられるシール用弁体２２と、弁軸本体２１の下端に一体的に設けられる吸入弁用弁体２３と、から構成されている。弁軸本体２１の太さは中途部のシール用弁体２２の上方半部が下方半部よりも細くなっている。
【００４２】
ここで、吐出弁９はステム５内の流路８上端部に設けられるもので、中央に上下に貫通する弁口９１を備えた弁座９２と、弁座９２に接離自在のチェックボールよりなる弁体９３と、から構成され、通常は弁体９３の自重によって弁座９２に密接して弁口９１を閉塞している。
【００４３】
吸入弁７は、弁口７１が開口する弁座７２と、この弁座７２に接離する上記弁軸２０下端に設けられた吸入弁用弁体２３と、から構成されており、通常は弁軸２０全体の自重によって吸入用弁体２３が弁座７２に密接して弁口７１を閉塞している。吸入用弁体２３はポンプ室２の底面に設けられた凹部７３内に上下動自在に収納され、凹部７３の開口縁には収納された吸入用弁体２３の上下動を規制するストッパ部７４が設けられている。また、吸入弁用弁体２３外周には凹部７３内周に摺動自在に接触するガイド凸部２３ａが設けられている。
【００４４】
そして、上記弁軸２０の上端は吐出弁９の弁口９１に下方から挿入可能となっており、弁軸２０下端の吸入弁用弁体２３が吸入弁７の弁座７１に当接した状態で、弁軸２０の上端の位置をロック時における吐出弁９の弁座９２よりも高い位置になるように設定し、吐出弁９の弁体９２を弁座から弁軸２０の上端によって持ち上げ可能としている。弁軸２０の上端は弁体９３の形状に合わせて凹みを設けている。
【００４５】
シール用弁体２２は弁軸本体２１から局部的に環状に膨出させた構成となっており、その上端面２２ａが周縁から中央部に向けて円錐台状に上方に突出する傾斜面で、下端面２２ｂがほぼ水平面に形成されている。また、外周面２２ｃが円筒面形状となっている。
【００４６】
また、ステム５の中空内部には、ロック時の内容液の液漏れを防止するための第１シール座５１と、吸入完了位置Ａにおける内容液の液漏れを防止するための第２シール座５２とを上下方向に離間して設けられている。
【００４７】
この実施の形態では、ステム５が前記ストッパ段部１８を境にして上方の小径部５３と下方の大径部５４とによって構成されており、大径部５４の上端に第１シール座５１が設けられ、大径部５４の下端開口部に第２シール座５２が設けられている。第１シール座５１はストッパ段部１８の内周側の段部によって構成され、第２シール座５２はステム５の下端縁をリップ形状に絞ることによって構成されている。すなわち、第２シール座５２は下端に向かって徐々に小径となるように傾斜している。この第２シール座５２の先端部は断面略三角形状で、その頂部がシール用弁体２２の外周面２２ｃに径方向に密接するようになっている。
【００４８】
そして、弁軸２０のシール用弁体２２は大径部５３内に遊嵌状態で挿入され、外周面２２ｃが僅少な間隔でもって大径部５３内周にガイドされ、ポンプ室２底面に設けられた凹部７３内に挿入される吸入用弁体２３と共に弁軸２０が倒れないように軸方向に移動可能に支持している。
【００４９】
ロック時にはシール用弁体２２の円錐台上の上端面２２ａが第１シール座５１に下方から当接してステム５内の流路８を閉塞する。自然状態（吸入完了状態）ではシール用弁体２２の外周面２２ｃが第２シール座５２内周が嵌合してステム５内の流路８を閉塞するようになっている。第２シール座５２の内径はシール用弁体２２の外径よりも若干小径で第２シール座５２内周にシール用弁体２２の外周面２２ｃに密接するように嵌り込む。
【００５０】
一方、イジェクタヘッド６は、略円形のヘッド本体６１と、ヘッド本体６１から側方に延びるノズル部６２とを備えている。ノズル部６２は先端に向かって上向きとなるように傾斜しており、その吐出通路６１ａも直線的に傾斜している。そして、ノズル部６２の先端開口部のみが斜め下向きに曲げられている。一方、ヘッド本体６１は、天面部６３と、天面部６３を取り囲むように下方に延びるスカート部６４とから構成され、天面部６３とスカート部６４の境界領域に天面部６３から徐々にスカート部６４に移行する傾斜面部６５が設けられている。この傾斜面部６５は天面部６３から連続する断面円弧形状となっている。また、天面部６３の裏面側にはステム５上端に接続される頚部６７が突出形成されている。
【００５１】
そして、上記傾斜面部６５の位置にノズル部６２の付け根が位置しており、図４（ａ），（ｆ）に示すように、傾斜面部６５の内、ノズル部６２の付け根が接続される部位が部分的にほぼ垂直面６６によってカットされた構成となっている。すなわち、図４（ｆ）において、仮想線６４ａはスカート部６４の円形の輪郭線の延長線であり、この円弧部を直線状にカットした形状となっている。
【００５２】
傾斜面部６５に垂直面６６を設けない状態で型成形する場合を考えると、図４（ｄ）に示すように、イジェクタヘッド２６０のノズル部２６２のパーティングラインＰ１は、ノズル部２６２の外周面中央を通ってヘッド本体２６１の傾斜面部２６５に至り、さらに傾斜面部２６５を下方に降りてスカート部２６４下端まで延びるように型割りすることが想定される。
【００５３】
図４（ｅ）はその金型の模式図である。すなわち、上型２００と下型２０１を上記パーティングラインＰ１に沿って型割りすると、下型２０１上面に段部２０２が設けられ、この段部２０２の上面にノズル部２６２の下半部を形成するための第１凹部２０３が形成され、段部２０２の側面にノズル部２６２の付け根に位置する傾斜面部２６５に対応する第２凹部２０４が形成されることになる。この傾斜面部２６５に対応する第２凹部２０４がアンダーカットとなり離型できなくなってしまう。
【００５４】
そこで、傾斜面部６５のノズル付け根部位を部分的に垂直面６６によってカットすることにより、下型にアンダーカット部が生じないようにしたものである。
【００５５】
すなわち、パーティングラインＰ２は、図４（ｂ）に示すように、ノズル部６２の外周面中央を通ってヘッド本体６１の垂直面６６に至り、さらに垂直面６６を下方に降りてスカート部６４下端まで延びるように型割りされる。
【００５６】
図４（ｃ）はその金型の模式図である。すなわち、上型３００と下型３０１を上記パーティングラインＰ２に沿って型割りすると、下型３０１上面に段部３０２が設けられ、この段部３０２の上面にノズル部６２の下半部を形成するための第１凹部３０３が形成され、段部３０２の側面はノズル部６２の付け根に位置する垂直面６６に対応した垂直面３０４となり、図４（ｅ）に示すような傾斜面部に対応する第２凹部２０４が必要無くなって、アンダーカットが生じない。
【００５７】
したがって離型が可能となり、ノズル部６２の位置を天面部６３とスカート部６４の境界領域である傾斜面部６５に位置させることができ、デザインの自由度が大きくなった。
【００５８】
図５には、本発明の他の実施の形態に係るイジェクタヘッド４０６の基本形態を示している。
【００５９】
このイジェクタヘッド４０６も、また、天面部４６３と、天面部４６３周縁から連続して下方に向かって延びる傾斜面部４６５と、傾斜面部４６５から連続して下端まで延びるスカート部４６４とを有するヘッド本体４６１と、ヘッド本体４６１の傾斜面部４６５から側方に延びるノズル部４６２と、を備えている。この実施の形態の場合には、天面部４６３，傾斜面部４６５およびスカート部４６４が連続する半球面状に成形されている。図示例ではノズル部４６２の接続される中腹部分を傾斜面部４６５とし、球冠部を天面部４６３とし、傾斜面部４６５より下方の球帯部をスカート部４６４とする。ノズル部４６２左右両側面に位置しノズル部４６２を上下に区分する２本のパーティングラインＰＬとヘッド本体４６１との交点Ｑは、上記傾斜面部４６５に位置している。
【００６０】
そして、ヘッド本体４６１の傾斜面部４６５に位置する一対のノズル部パーティングラインＰＬの交点Ｑ，Ｑを起点としてスカート部４６４下端まで延びる型抜き面４６６が形成されている。
【００６１】
そして、ヘッド本体４６１の中心軸Ｏを中心にしてノズル部４６２に対して９０度の方向から水平方向に見た場合に、この型抜き面４６６のスカート部下端線Ｂとの交点Ｔ２は、ノズル部パーティングラインＰＬの交点Ｑを通る垂直線Ｖに対して離型最大許容角度θでヘッド本体４６１の中心軸Ｏから離れる方向に傾斜させて引いた傾斜線Ｉがスカート部下端線Ｂと交わる交点Ｔ１よりも、ヘッド本体４６１の中心軸Ｏ側に位置している。
【００６２】
図示例では、型抜き面４６６のスカート部下端線Ｂとの交点Ｔ２をノズル部パーティングラインＰＬの交点Ｑ，Ｑを通る垂直線Ｖ上に位置させているが、図５（ｃ）に示すように垂直線Ｖに対してヘッド本体４６１の中心軸Ｏと反対側にＴ１の範囲まで移動させてもよいし、図５（ｄ）に示すように垂直線Ｖに対してヘッド本体４６１の中心軸Ｏ側に移動させてもよい。
【００６３】
離型最大許容角度θは材質や形状寸法にもよるが、一般的には約８度がアンダカットになっても金型が無理抜きできる角度である。最適角度は４度以下である。
【００６４】
型抜き面４６６は、図６（ａ）に示すように、ノズル部パーティングラインＰＬの交点を通る垂直面で切断し、ノズル部４６２の下方部分だけでなくその周辺領域まで含む半月状に成形されているが、少なくともノズル部４６２の下方に位置する部分に形成すればよく、図６（ｂ）に示すように、ノズル部４６２の幅を有する溝形状としてもよい。
【００６５】
また、図６（ｃ）に示すように、イジェクタヘッド４０６をヘッド本体４６１の中心軸Ｏ方向下方から見た場合に、型抜き面４６６とノズル部中心線ＮＯとの交点Ｘ１と、一対のノズル部パーティングラインＰＬの傾斜面部４６５との交点Ｘ２，Ｘ２とを結ぶ型抜き面４６６のノズル部４６２の幅分の形状線が、ヘッド本体４６１の中心軸Ｏとノズル部パーティングラインＰＬの傾斜面部４６５との交点Ｘ２，Ｘ２間の距離と等しい半径ｒ１を有するかまたは大きい半径ｒを有する円で描かれる形状となっている。半径が無限大のときは図示実線のように直線となる。また、図６（ｄ）に示すように、Ｘ１とＸ２，Ｘ２間を直線で結んだ形状としてもよい。もっとも、ノズル部４６２の幅ｈに対応する部分のみであって、ノズル部４６２の幅よりも外側の形状は任意である。
【００６６】
本実施の形態ではノズル部６２が上向きに傾斜している場合を例にとって説明したが、ノズル部６２が水平の場合でも下向き傾斜の場合でも適用できる。
【００６７】
なお、スカート６４を傾斜面部６５のみで形成してもよいし、傾斜面部６５の形状としては、断面円弧形状に限らず直線的にカットした形状の場合でも同様である。
【００６８】
本発明にあっては、液体の吐出行程では、図１に示す吸入完了状態から、ばね部材１０の付勢力に抗してイジェクタヘッド６を下方に押し込む。これによりポンプ室２内の容積が縮小して内容液が圧縮され、この圧力によって吐出弁９の弁座９２から弁体９３が浮き上がり、ポンプ室２内の内容液がノズル部６２から注出される。
【００６９】
吐出完了時点で、図２（ａ）に示すように、弁軸２０上端が吐出弁９の弁口９１に挿入されて、弁軸２０上端が弁座９２位置よりも上方に突出している。
【００７０】
そして、イジェクタヘッド６から手を離すと、図３（ａ）に示すように、ばね部材１０の付勢力によってステム５が上方に押し戻され、ポンプ室２の容積が拡張して負圧となる。ステム５が吐出完了位置Ｂから所定距離だけ上方に移動する間はまだ弁軸２０上端は吐出弁９の弁座９２から上方に突出しており、この弁軸２０上端によって弁体９３が強制的に弁座９２から離され、ノズル部６２内の残液が吐出弁９の弁口９１を通じてポンプ室２内に戻される。
【００７１】
そして、ステム５が所定距離上動して弁軸２０上端が吐出弁９の弁座９２位置よりも下方に位置すると、図３（ｂ）に示すように、吐出弁９の弁体９３が弁座９２に着座して弁口９１を閉塞し、ステム５の上方に伴って負圧が増大していく。この負圧の増大によって弁軸２０下端の吸入弁用弁体２３が吸入弁７の弁座７２から浮き上がり、ポンプ室２内に内容液が吸入される。
【００７２】
図３（ｃ）に示すように、吸入完了位置Ａに達すると、ステム５内の第２シール座５２が弁軸２０のシール用弁体２２の外周面２２ｃに当接し、ステム５内の流路８が閉塞される。
【００７３】
弁軸２０のシール用弁体２２の下端面２２ｂが第２シール座５２に当接した時点で、弁軸２０は上方に持ち上げられるが、下端の吸入弁用弁体２３が凹部７３開口縁のストッパ部７４によってその上動が規制され、シール用弁体２２の外周面２２ｃが第２シール座５２内周に嵌り込む。
【００７４】
ロック時には、図２（ｂ）に示すように、ステム５は吐出完了位置Ｂよりもさらに下方のロック位置Ｃに達し、その分弁軸２０上端の吐出弁７の弁座７２からの突出量は大きくなる。一方、弁軸２０の中途部に設けられたシール用弁体２２はロック用の第１シール部５１に当接してステム５内の流路８が閉塞される。
【００７５】
また、ノズル部６２を上向きにしておけば、吐出完了後のノズル部６２内の残液が戻りやすい。
【００７６】
図７は本発明の他の実施の形態を示している。
【００７７】
この実施の形態は、ロック時のシール構造と、吸入弁用弁体２３の上下動の規制構造の２点で上記実施の形態と相違するのみで、他の構成は上記実施の形態と全く同一であるので、相違点のみを説明し、同一の構成部分については同一の符号を付してその説明を省略する。
【００７８】
ロック時のシール構造として、シール用弁体２２を大径部５４内に収納される第１弁体部２２１と、この第１弁体部２２１から上方に延びて小径部５３内に挿入される第２弁体部２２２と、から構成したものである。
【００７９】
一方、吐出弁９の弁口９１の下端開口縁には下方に延びる円筒状の第１シール座５５が設けられている。
【００８０】
吐出完了位置では弁軸本体２１上端部のみが吐出弁９の弁口９１内に挿通され、ロック位置ではシール用弁体２２の第２弁体部２２２外周が第１シール座５５内周に差し込まれ弁口９１を密閉する構成としたものである。第２弁体部２２２の上端２２２ａも第１弁体部２２１の上端面２２ａと同様に円錐台状のテーパ面となっている。
【００８１】
このシール構造は半径方向のシールであり、上下方向の移動が許容されるので、上記実施の形態と同様、第１弁体部２２１と大径部５４と小径部５５の境界にある第１シール座５１と共に、二重のシール構成をとってもよい。
【００８２】
また、吸入弁用弁体２３の上下動の規制構造は、この実施の形態ではポンプ室２の底面に凹部を設けないで、ポンプ室２内周壁に吸入弁用弁体２３外周に設けた複数のガイド凸部２３ａと係合する複数のガイドリブ７５を設け、このガイドリブ７５上端をコイルスプリングよりなるばね部材１０のばね座とし、このガイドリブ７５上端に係合するばね部材１０の座巻部１０ａによって吸入弁用弁体２３のガイド凸部の２３ａ上下動を規制するようにしたものである。
【００８３】
【発明の効果】
以上説明したように、本発明にあっては、一本の弁軸だけで、吸入弁の弁体としての機能と、シール用弁体としての機能と、バックサクション機能を果たすことができ、従来技術に比べて部品点数を格段に少なくでき、組立も簡単になった。
【００８４】
また、ノズル部を上向きにしておけば、吐出完了後のノズル部内の残液が戻りやすい。
【００８５】
また、本発明のイジェクタヘッドによれば、スカート部と天面部の境界領域の傾斜面部にノズルを設ける場合に、ノズル部の付け根部を垂直面にカットすることにより型成形が可能となり、デザインの自由度が向上する。
【図面の簡単な説明】
【図１】図１は本発明の一実施の形態に係るポンプディスペンサを示す断面図である。
【図２】図２は図１のポンプディスペンサのロック状態及び吐出完了状態を示す図である。
【図３】図３は図１のポンプディスペンサの吐出完了から吸入行程の説明図である。
【図４】図４は図１のイジェクタヘッドおよびその成形金型の説明図である。
【図５】図５はイジェクタヘッドの他の形態を示す図である。
【図６】図６は図５のイジェクタヘッドの説明図である。
【図７】図７は本発明の他の実施の形態に係るポンプディスペンサを示す断面図である。
【図８】図８は従来のポンプディスペンサを示す断面図である。
【符号の説明】
１  ポンプディスペンサ
２  ポンプ室
３  アキュムレータ（ポンプ本体）
４  ピストン
５  ステム
５１  第１シール座
５２  第２シール座
５３  小径部
５４  大径部
６  イジェクタヘッド
６１  ヘッド本体
６２  ノズル部
６３  天面部
６４  スカート部
６５  傾斜面部
６６  垂直面部
７  吸入弁
７１  弁口
７２  弁座
７３  凹部
７４  ストッパ部
８  流路
９  吐出弁
９１  弁口
９２  弁座
９３  弁体
１０  ばね部材
２０  弁軸
２１  弁軸本体
２２  シール用弁体
２３  吸入弁用弁体
【図１】
0003582226.tif 000002
【図２】
0003582226.tif 000003
【図３】
0003582226.tif 000004
【図４】
0003582226.tif 000005
【図５】
0003582226.tif 000006
【図６】
0003582226.tif 000007
【図７】
0003582226.tif 000008
【図８】
0003582226.tif 000009